(57)【要約】【課題】  洗浄槽を手洗い洗浄しようとすると、バケツなどにより洗浄槽内に水を入れなければならず、水漏れや漏電などの危険性があった。【解決手段】  洗浄槽２内を掃除するための掃除モードを選択する洗浄槽掃除スイッチ３０ｆを設け、洗浄槽掃除スイッチ３０ｆにより掃除モードが選択された場合には、給水弁９が開放されることにより低水位まで洗浄水が給水され、給水された洗浄水は使用者による所定の操作信号を受けて排水されるので、洗浄槽２内にミネラル分やカルシウムなどの汚れが付着した場合でも、使用者は洗浄槽２内を満足がいくまで手洗い洗浄することができる。【選択図】        図４
2008036130.tif 000002
【特許請求の範囲】
【請求項１】
食器類を収容する洗浄槽と、
該洗浄槽内に洗浄水を給水する給水手段と、
該給水手段により給水された洗浄水を貯水する洗浄水貯水部と、
該洗浄水貯水部に貯水された洗浄水を食器類に向けて噴射する噴射ノズルと、
前記洗浄水貯水部の洗浄水を前記噴射ノズルに圧送するポンプと、
前記洗浄槽内を掃除するための掃除モードを選択する掃除モード選択手段と、
前記ポンプを制御する制御手段と、を有し、
前記掃除モード選択手段により掃除モードが選択された場合には、前記給水手段により所定の水位まで洗浄水が給水され、該給水された洗浄水は所定の操作信号を受けて排水されることを特徴とする食器洗浄機。
【請求項２】
前記操作信号を受けて洗浄水が排水された後は、再び前記給水手段により所定の水位まで洗浄水が給水され、前記ポンプが運転されて、前記噴射ノズルから該給水された再給水洗浄水が噴射され、その後に再給水洗浄水が排水されることを特徴とする請求項１記載の食器洗浄機。
【請求項３】
前記洗浄槽の蓋が開放されているかを検出する蓋開放検出手段と、
該蓋開放検出手段により前記洗浄槽の蓋が開放されていることが検出された場合に報知する蓋開放報知手段と、をさらに備え、
前記掃除モード選択手段により掃除モードが選択されたときに、前記蓋開放検出手段により前記洗浄槽の蓋が開放されていることが検出されると、前記蓋開放報知手段により報知され、その後、前記蓋開放検出手段により前記洗浄槽の蓋が開放されていることが検出されなくなると、前記蓋開放報知手段による報知が終了され、前記給水手段により前記洗浄槽内に洗浄水が給水されることを特徴とする請求項１記載の食器洗浄機。
【請求項４】
洗浄水が所定の水位まで給水されたかを検出する水量検出手段と、
該水量検出手段により洗浄水が所定の水位まで給水されたと検出された場合に報知する給水完了報知手段と、をさらに備え、
前記掃除モード選択手段により掃除モードが選択された場合に、前記水量検出手段により洗浄水が所定の水位まで給水されたと検出されると前記給水完了報知手段により報知され、その後、前記蓋開放検出手段により前記洗浄槽の蓋が開放されていることが検出されると前記給水完了報知手段による報知が終了することを特徴とする請求項１記載の食器洗浄機。
【請求項５】
前記制御手段は、前記ポンプを間欠的に運転するように制御し、前記噴射ノズルから前記再給水洗浄水を間欠的に噴射させるようにしたことを特徴とする請求項２記載の食器洗浄機。
【発明の詳細な説明】
【技術分野】
【０００１】
本発明は、洗浄槽内に収容された食器類に洗浄水を噴射して、食器類の洗浄を行う食器洗浄機に関する。
【背景技術】
【０００２】
従来、洗浄槽内部を洗浄する機能を有する食器洗浄機として以下のものが提案されていた。この食器洗浄機は、洗浄槽の内部に収容された食器を洗浄するための洗浄モードと、洗浄槽の内部を洗浄するためのセルフクリーニングモードとを備えた食器洗浄機であって、供給された水を受入れるための受入れ手段と、受入れられた水からアルカリイオン水を生成する生成手段と、洗浄槽内壁の汚れを検出する汚れ検出手段と、汚れ検出手段の検出出力に応じて、セルフクリーニングモードを自動的に指定し、生成されたアルカリイオン水を用いて洗浄槽の内部を洗浄する洗浄手段とを備えたものであった。この食器洗浄機では、洗浄工程、すすぎ工程の終了後の乾燥工程で汚れ検出手段により洗浄槽内壁の汚れが検出され、汚れ検出手段により汚れが検出された場合にセルフクリーニングの催促報知が行われる。そして、その催促報知に応じて使用者によりセルフクリーニングスイッチが押圧されると、セルフクリーニングモードに移行する。このセルフクリーニングモードは、あらかじめ定まった工程に従い、洗浄槽内に食器類がないか判定され、洗浄槽内に食器類がないと判定された場合に、洗浄槽内にアルカリイオン水が給水され、その給水されたアルカリイオン水が洗浄槽内に噴射されて、洗浄槽内に付着された汚れや匂いの成分となる付着物が洗浄されるものであった（たとえば、特許文献１）。
【０００３】
【特許文献１】特開２００２−５３９号公報
【発明の開示】
【発明が解決しようとする課題】
【０００４】
しかしながら、従来の食器洗浄機では、乾燥工程で、汚れ検出手段により汚れが検出された場合にセルフクリーニングの催促報知が行われ、その催促報知に応じて使用者によりセルフクリーニングスイッチが押圧されると、アルカリイオン水により洗浄槽内が洗浄されるものであったので、洗浄の使用時間や使用回数の増加による洗浄槽内の汚れの付着については有効であったが、たとえば、洗浄が繰り返されることによって、水道水や食物のミネラル分やカルシウムが洗浄槽内に付着してしまった場合には、使用者の満足に適う洗浄ができないという問題があった。すなわち、ミネラル分やカルシウムが洗浄槽内に付着した場合などは、衛生面から、使用者が洗浄槽内の局所を入念に手洗いしたい場合や、全体的に入念に手洗いしたい場合があった。
【０００５】
また、洗浄槽内を手洗いする場合には、今までは、使用者が水道水をバケツに入れ、そのバケツに入った水道水を洗浄槽内に入れていたので、そのバケツに入った水道水が洗浄槽内に入れられるときに、バケツから水が漏れたり、洗浄槽外に水が溢れたりする場合があった。また、洗浄槽外に溢れない場合でも、水が送風通路を介して温風ヒータや送風ファンのところまで入り込み、漏電する危険性もあった。さらに、使用者が洗浄槽内を手洗いするために、洗浄槽内の水位を適切な水位にするのも手間がかかるばかりか、急いですると上述した水漏れや漏電の恐れが高まるという問題もあった。
【０００６】
本発明は上記問題点に鑑みてなされたもので、水漏れや漏電の心配がなく、迅速かつスムーズに洗浄槽内をお掃除洗浄することができる食器洗浄機を提供することを目的とする。
【課題を解決するための手段】
【０００７】
上記課題を解決し上記目的を達成するために、本発明のうち第１の態様に係るものは、食器類を収容する洗浄槽と、洗浄槽内に洗浄水を給水する給水手段と、給水手段により給水された洗浄水を貯水する洗浄水貯水部と、洗浄水貯水部に貯水された洗浄水を食器類に向けて噴射する噴射ノズルと、洗浄水貯水部の洗浄水を噴射ノズルに圧送するポンプと、洗浄槽内を掃除するための掃除モードを選択する掃除モード選択手段と、ポンプを制御する制御手段と、を有し、掃除モード選択手段により掃除モードが選択された場合には、給水手段により所定の水位まで洗浄水が給水され、給水された洗浄水は所定の操作信号を受けて排水されることを特徴とする。
【０００８】
この構成によれば、掃除モード選択手段により掃除モードが選択された場合には、給水手段により所定の水位まで洗浄水が給水されるので、不必要に多くの水が供給されることがなく節水が図られるとともに、使用者がバケツに入った水道水を洗浄槽内に入れる作業を行わずにすみ、バケツから水が漏れたり、洗浄槽外に水が溢れたり、また、水が送風通路を介して温風ヒータや送風ファンのところまで入り込み、漏電する危険性もなくなる。そして、その給水された洗浄水は使用者による操作信号を受けて排水されるので、使用者はそれまで十分洗浄槽内を掃除することができる。これにより、たとえば、ミネラル分やカルシウムなどの汚れが洗浄槽内に付着した場合でも、使用者は洗浄槽内を満足がいくまで手洗い洗浄することができる。
【０００９】
本発明のうち第２の態様に係るものは、第１の態様に係る食器洗浄機であって、操作信号を受けて洗浄水が排水された後は、再び給水手段により所定の水位まで洗浄水が給水され、ポンプが運転されて、噴射ノズルから該給水された再給水洗浄水が噴射され、その後に該再給水洗浄水が排水されることを特徴とする。
【００１０】
この構成によれば、第１の態様に係る食器洗浄機であって、操作信号を受けて洗浄水が排水された後は、再び給水手段により所定の水位まで洗浄水が給水され、ポンプが運転されて、噴射ノズルから該給水された再給水洗浄水が噴射され、その後に該再給水洗浄水が排水されるので、使用者による洗浄槽内の手洗い洗浄が終了した後は、自動的にその後の洗浄槽内のすすぎ洗浄を行うことができる。これにより、迅速かつスムーズに洗浄槽内をお掃除洗浄することができる
【００１１】
本発明のうち第３の態様に係るものは、第１の態様に係る食器洗浄機であって、洗浄槽の蓋が開放されているかを検出する蓋開放検出手段と、蓋開放検出手段により洗浄槽の蓋が開放されていることが検出された場合に報知する蓋開放報知手段と、をさらに備え、掃除モード選択手段により掃除モードが選択されたときに、蓋開放検出手段により洗浄槽の蓋が開放されていることが検出されると、蓋開放報知手段により報知され、その後、蓋開放検出手段により洗浄槽の蓋が開放されていることが検出されなくなると、蓋開放報知手段による報知が終了され、給水手段により洗浄槽内に洗浄水が給水されることを特徴とする。
【００１２】
この構成によれば、掃除モード選択手段により掃除モードが選択されたときに、蓋開放検出手段により洗浄槽の蓋が開放されていることが検出されると、蓋開放報知手段により報知され、その後、蓋開放検出手段により洗浄槽の蓋が開放されていることが検出されなくなると、蓋開放報知手段による報知が終了され、給水手段により洗浄槽内に洗浄水が給水されるので、洗浄槽内に洗浄水を給水するときに、水が洗浄槽外に飛び散ることなく給水することができる。また、蓋が開放されていれば、使用者は、蓋が開放されていることを蓋開放報知手段による報知により知ることができ、これにより、確実に蓋が閉じられた状態で、洗浄槽内に洗浄水を給水することができる。
【００１３】
本発明のうち第４の態様に係るものは、第１の態様に係る食器洗浄機であって、洗浄水が所定の水位まで給水されたかを検出する水量検出手段と、水量検出手段により洗浄水が所定の水位まで給水されたと検出された場合に報知する給水完了報知手段と、をさらに備え、掃除モード選択手段により掃除モードが選択された場合に、水量検出手段により洗浄水が所定の水位まで給水されたと検出されると給水完了報知手段により報知され、その後、蓋開放検出手段により洗浄槽の蓋が開放されていることが検出されると給水完了報知手段による報知が終了することを特徴とする。
【００１４】
この構成によれば、掃除モード選択手段により掃除モードが選択された場合に、水量検出手段により洗浄水が所定の水位まで給水されたと検出されると給水完了報知手段により報知され、その後、蓋開放検出手段により洗浄槽の蓋が開放されていることが検出されると給水完了報知手段による報知が終了するので、使用者は、洗浄槽に洗浄水が給水されたことを知ることができ、その後の使用者による洗浄槽の手洗い洗浄をスムーズに行うことができる。
【００１５】
本発明のうち第５の態様に係るものは、第２の態様に係る食器洗浄機であって、制御手段は、ポンプを間欠的に運転するように制御し、噴射ノズルから再給水洗浄水を間欠的に噴射させるようにしたことを特徴とする。
【００１６】
この構成によれば、制御手段により、ポンプが間欠的に運転されるように制御され、噴射ノズルから再給水洗浄水が間欠的に噴射されるので、噴射ノズルから断続的に噴射された洗浄水が波状になり、その波状になった洗浄水により手洗い洗浄された後の洗浄槽内の洗剤や汚れなどを確実に流し落とすことができる。
【発明の効果】
【００１７】
以上のように本発明の食器洗浄機によれば、水漏れや漏電の心配がなく、迅速かつスムーズに洗浄槽内をお掃除洗浄することができる。
【発明を実施するための最良の形態】
【００１８】
以下、本発明の食器洗浄機の一実施形態について図面を参照にしながら説明する。図１は、本発明の一実施形態における食器洗浄機の内部構造を示す図である。
【００１９】
図１に示すように、食器洗浄機１には、本体ケース２０と、その内部に備えられた洗浄槽２と、食器を出し入れするための蓋３とが備えられている。洗浄槽２は、食器（被洗浄物）を収容するもので、洗浄槽２の一端面には開口部２１が形成されている。蓋３は、開口部２１に開閉自在に備えられており、使用者が、この蓋３を開放することにより、洗浄槽２内の食器を出し入れすることができる。
【００２０】
洗浄槽２の内部には、食器を収納する食器かご４と、洗浄水を食器に向けて噴射する噴射ノズル５とが備えている。噴射ノズル５は、洗浄槽２の底部に回転自在に取り付けられ、多数の噴射口が形成されている。そして、この噴射ノズル５から食器に向けて洗浄水が噴射されることにより、食器かご４に収納された食器が洗浄される。
【００２１】
また、食器洗浄機１には、洗浄槽２の後方上部に形成された給水口１９と、洗浄槽２内に洗浄水を供給するための給水弁９（給水手段）と、水量検出センサ１０（水量検出手段）とが備えられている。給水弁９は、電磁弁であり、この給水弁９が開閉されることにより洗浄槽２内に洗浄水が供給される。すなわち、この給水弁９が開放されることにより、洗浄水の供給源（たとえば、水道、給湯装置など）から、給水口１９を介し、洗浄槽２内に洗浄水が供給される。
【００２２】
水量検出センサ１０は、洗浄槽２内に供給された洗浄水の水位を検出するもので、本実施形態では、フロートスイッチが用いられている。具体的には、水量検出センサ１０は、フロートケース２２と、フロートケース２２の内部に設けたれたフロート２３と、フロート２３の上下の変位を検出する水量検出スイッチ（図示略）とを有している。そして、洗浄槽２内の洗浄水の水位がフロートケース２２内の下点水位になると、下部の水量検出スイッチ（図示略）が「ＯＮ」となり、洗浄槽２内の低水位を検出することができる。また、洗浄槽２内の水位がフロートケース２２内の上点水位になると、上部の水量検出スイッチ（図示略）が「ＯＮ」となり、洗浄槽２内の高水位を検出することができる。このようにして、フロート２３の上下の変位を検出することにより、洗浄槽２内の低水位と高水位を検出することができ、洗浄槽２内に所定の洗浄水を溜めることができる。
なお、本実施形態では、水量検出センサ１０として、フロートスイッチを用いているが、これに限らず、圧力スイッチであってもよい。
【００２３】
洗浄槽２の下部には、洗浄水貯水部１２が形成され、ポンプ６、温水ヒータ７、温水温度センサ８（温水温度検出手段）、排水弁３１が備えられている。  
【００２４】
洗浄水貯水部１２は、洗浄槽２の前方底部に形成され、洗浄槽２の底面部よりも一段と低い凹状形状をなしている。そして、洗浄槽２の底面部に落下した洗浄水は、洗浄水貯水部１２に流れ込んで、洗浄水貯水部１２に貯水される。
【００２５】
温水ヒータ７は、洗浄水を加熱するもので、洗浄水貯水部１２に備えられている。温水温度センサ８は、洗浄水貯水部１２に貯水されている洗浄水の温度を検出するものである。これにより、洗浄水貯水部１２に貯水されている洗浄水は温水ヒータ７により加熱され、その温水ヒータ７により加熱された洗浄水の温度は、温水温度センサ８により検出される。そして、その温水温度センサ８により検出された温度をフィードバックして、さらに洗浄水を加熱することにより洗浄水貯水部１２に貯水されている洗浄水を所定の温度にすることができる。
【００２６】
ポンプ６は、洗浄水貯水部１２に貯水されている洗浄水を噴射ノズル５に圧送する洗浄ポンプ６ａと、洗浄槽２内の洗浄水を後述する排水管に圧送する排水ポンプ６ｂとからなる。そして、洗浄ポンプ６ａを駆動させることより、洗浄水貯水部１２に貯水されている洗浄水を噴射ノズル５から食器に向けて噴射させることができ、また、排水ポンプ６ｂを駆動させることより、洗浄水貯水部１２に貯水されている洗浄水を食器洗浄機１の外部に排水することができる。なお、本実施形態では、洗浄ポンプ６ａと排水ポンプ６ｂとを別体として設けているが、これに限らず、洗浄ポンプ６ａと排水ポンプ６ｂとを一体的に設けてもよい。また、洗浄ポンプ６ａもしくは排水ポンプ６ｂのみでポンプ６としてもよい。
【００２７】
排水弁３１は、電磁弁であり、後述する排水管に設けられている。この排水弁３１が開放されることにより、洗浄槽２に貯水されている洗浄水が食器洗浄機１の外部に排出される。本実施形態では、排水ポンプ６ｂと排水弁３１により排水手段を構成しているが、これに限らず、洗浄水貯水部１２の洗浄水を排出する排水弁３１のみで排水手段を構成してもよい。
【００２８】
洗浄水貯水部１２の下方には、導水口１３が形成され、導水口１３は、洗浄ポンプ６ａに連通する洗浄ポンプ導水口１３ａと、排水ポンプ６ｂに連通する排水ポンプ導水口１３ｂからなる。洗浄ポンプ６ａには、洗浄水貯水部１２の洗浄水を吸い込むための吸込口１４ａと、噴射ノズル５に洗浄水を吐き出すための吐出口１６ａが形成されている。また、排水ポンプ６ｂには、洗浄水貯水部１２の洗浄水を吸い込むための吸込口１４ｂと、後述する排水管に洗浄水を吐き出すための吐出口１６ｂが形成されている。なお、本実施形態では、導水口１３を、洗浄ポンプ導水口１３ａと、それと別個に設けられた排水ポンプ導水口１３ｂとからなるとしたが、これに限らず、洗浄ポンプ導水口１３ａと排水ポンプ導水口１３ｂとを兼用した導水口を構成してもよい。また、洗浄ポンプ導水口１３ａもしくは排水ポンプ導水口１３ｂのみで導水口としてもよい。
【００２９】
洗浄水貯水部１２の下方の洗浄ポンプ導水口１３ａは、洗浄ポンプ吸込管１５ａにより、洗浄ポンプ６ａの吸込口１４ａと連結されている。また、洗浄ポンプ６ａの吐出口１６ａは、吐出管１７により、噴射ノズル５と連結されている。これにより、洗浄水貯水部１２に貯水されている洗浄水が、洗浄ポンプ６ａの駆動力により、噴射ノズル５に圧送される。
【００３０】
また、洗浄水貯水部１２の下方の排水ポンプ導水口１３ｂは、排水ポンプ吸込管１５ｂにより、排水ポンプ６ｂの吸込口１４ｂと連結されている。また、排水ポンプ６ｂの吐出口１６ｂは、排水管２４と連結されている。これにより、洗浄水貯水部１２に貯水されている洗浄水が、排水ポンプ６ｂの駆動力により、排水管２４を介して、食器洗浄機１の外部に排水される。
【００３１】
本実施形態では、洗浄ポンプ６ａには洗浄ポンプ用駆動モータ（図示略）が備えられ、また、排水ポンプ６ｂには排水ポンプ用駆動モータ（図示略）が備えられている。しかしながら、これに限らず、洗浄ポンプ６ａと排水ポンプ６ｂとを一体的に構成した場合には、単一の駆動モータ（図示略）で洗浄ポンプ６ａおよび排水ポンプ６ｂを駆動させてもよい。この場合には、駆動モータ（図示略）を正転（時計回り）させることにより、洗浄ポンプ６ａの駆動モータとして機能し、反対に駆動モータを逆転（反時計回り）させることにより、排水ポンプ６ｂの駆動モータとして駆動する。
【００３２】
洗浄水貯水部１２には、残菜フィルター１８が設けられている。この残菜フィルター１８により、食器から流し落とされた残菜が捕集される。
【００３３】
また、食器洗浄機１の下部には、送風ファン２５、温風ヒータ２６、温風温度センサ２９が設けられ、食器洗浄機１の上部には、蓋開閉検出センサ３３、排気口２７がそれぞれ設けられている。
【００３４】
送風ファン２５は、洗浄槽２内に空気を送り込むもので、温風ヒータ２６は、送風ファン２５によって送り込まれた空気を加熱するものである。温風ヒータ２６で加熱された空気の温度は、温風温度センサ２９により検出され、洗浄槽２内に送り込まれた空気は、排気口２７から食器洗浄機１の外部に排出される。蓋開閉検出センサ３３は、蓋３の開閉を検出するものであり、この蓋開閉検出センサ３３により、蓋３が開放されている状態か、閉止されている状態かを検出することができる。
【００３５】
食器洗浄機１の前方下部には、制御装置２８が設けられている。この制御装置２８により、洗浄ポンプ６ａおよび排水ポンプ６ｂなどが制御される。さらに、食器洗浄機１の前方下部には、操作パネル３０が形成されている。操作パネル３０の詳細については、図２を用いて後述する。
【００３６】
次に、本発明の食器洗浄機の操作パネルについて図２を参照にしながら説明する。図２は、本発明の一実施形態のおける食器洗浄機の操作パネルを示す図である。
【００３７】
図２に示すように、操作パネル３０には、電源スイッチ３０ａ、運転開始停止スイッチ３０ｂ、洗浄コース選択スイッチ３０ｃ、乾燥コース選択スイッチ３０ｄ、予約時間選択スイッチ３０ｅ、洗浄槽掃除スイッチ３０ｆ、洗浄コース表示部３０ｇ、乾燥コース表示部３０ｈ、洗浄槽掃除表示部３０ｉ、予約時間表示部３０ｊが備えられている。
【００３８】
電源スイッチ３０ａは、食器洗浄機１の電源をオン、オフするスイッチであり、運転開始停止スイッチ３０ｂは、食器洗浄機１の運転をスタートさせ、スタート後に一時停止させるスイッチであるとともに、洗浄槽２を掃除洗浄する際、後述する掃除洗浄工程の自動すすぎ洗浄工程をスタートさせるスイッチである。これにより、使用者が、食器洗浄機１の電源スイッチ３０ａを押圧することにより、食器洗浄機１の電源がオンになり、そのオン状態で、後述する各種コースが選択設定され、運転開始停止スイッチ３０ｂが押圧されれば、食器洗浄機１の運転が開始される。その後、使用者が、食器洗浄機１の運転を一時停止したい場合には、運転開始停止スイッチ３０ｂを押圧すれば、食器洗浄機１の運転が一時停止する。そして、その後、使用者が、食器洗浄機１の運転を再開したい場合には、さらに、運転開始停止スイッチ３０ｂを押圧することにより、食器洗浄機１が一時停止状態から運転が再開される。このように、食器洗浄機１が運転している状態で、運転開始停止スイッチ３０ｂが押圧されれば、食器洗浄機１の運転が一時停止し、食器洗浄機１の運転が一時停止している状態で運転開始停止スイッチ３０ｂが押圧されれば、食器洗浄機１の運転が再開される。なお、掃除洗浄工程については後述する。
【００３９】
洗浄コース選択スイッチ３０ｃは、洗浄コースを選択設定するためのスイッチである。洗浄コースとして、「標準」の洗浄コース（以下、「標準洗浄コース」という）、「ハイパワー」の洗浄コース（以下、「ハイパワー洗浄コース」という）、そして「サイレント」の洗浄コース（以下、「サイレント洗浄コース」という）が準備されている。標準洗浄コースは、標準レベルの洗浄、すすぎを行うコースであり、ハイパワー洗浄コースは、標準洗浄コースより工程時間を長くして、念入りに洗浄、すすぎを行うコースであり、また、サイレント洗浄コースは、標準洗浄コースより洗浄騒音を低減させて、洗浄、すすぎを行うコースである。そして、洗浄コース選択スイッチ３０ｃにより、「洗浄なし」、「標準洗浄コース」、「ハイパワー洗浄コース」、「サイレント洗浄コース」のいずれの洗浄コースも選択設定することができる。
【００４０】
洗浄コース表示部３０ｇは、現在選択設定されている洗浄コースを表示（点灯）するものである。具体的には、「標準」、「ハイパワー」、「サイレント」の左側に発光素子が配設され、この発光素子が点灯または点滅されることにより、使用者は、現在どの洗浄コースが選択設定されているかを知ることができる。なお、洗浄コースのデフォルト（初期値）は、「洗浄なし」に設定されているので、電源スイッチ３０ａが押圧されて、電源がオンになった状態では、図２に示す洗浄コースのいずれの発光素子も点灯または点滅されない。
【００４１】
そして、使用者が、たとえば、サイレント洗浄コースを選択設定したい場合には、使用者により洗浄コース選択スイッチ３０ｃが３回押圧されることにより、サイレント洗浄コースを選択設定することができる。つまり、洗浄コース選択スイッチ３０ｃが押圧されるごとに、「洗浄なし」→「標準」→「ハイパワー」→「サイレント」→「洗浄なし」の順に発光素子の点灯が順次移動され、洗浄コースを選択設定することができる。標準洗浄コース、ハイパワー洗浄コース、サイレント洗浄コースの詳細については、後述する。
【００４２】
乾燥コース選択スイッチ３０ｄは、乾燥コースを選択設定するためのスイッチである。乾燥コースとして、「３０分」の乾燥コース（以下、「３０分乾燥コース」という）、「６０分」の乾燥コース（以下、「６０分乾燥コース」という）、そして「送風」の乾燥コース（以下、「送風乾燥コース」という）が準備されている。３０分乾燥コースは、温風ヒータ２６により、３０分間、送風ファン２５により送り込まれた空気が加熱され、洗浄槽２内の食器などを乾燥させるコースであり、６０分乾燥コースは、温風ヒータ２６により、６０分間、送風ファン２５により送り込まれた空気が加熱され、洗浄槽２内の食器などを乾燥させるコースであり、また、送風乾燥コースは、温風ヒータ２６により送風ファン２５により送り込まれた空気が加熱されず、送風ファン２５により送り込まれた空気により、洗浄槽２内の食器などを乾燥させるコースである。そして、乾燥コース選択スイッチ３０ｄにより、「乾燥なし」、「３０分乾燥コース」、「６０分乾燥コース」、「送風乾燥コース」のいずれの乾燥コースも選択設定することができる。
【００４３】
乾燥コース表示部３０ｈは、現在選択設定されている乾燥コースを表示（点灯）するものである。具体的には、「３０分」、「６０分」、「送風」の左側に発光素子が配設され、この発光素子が点灯または点滅されることにより、使用者は、現在どの乾燥コースが選択設定されているかを知ることができる。なお、乾燥コースのデフォルト（初期値）は、「乾燥なし」に設定されているので、電源スイッチ３０ａが押圧されて、電源がオンになった状態では、図２に示すいずれの発光素子も点灯または点滅されない。
【００４４】
そして、使用者が、たとえば、６０分乾燥コースを選択設定したい場合には、使用者により乾燥コース選択スイッチ３０ｄが２回押圧されることにより、６０分乾燥コースを選択設定することができる。つまり、乾燥コース選択スイッチ３０ｄが押圧されるごとに、「乾燥なし」→「３０分」→「６０分」→「送風」→「乾燥なし」の順に発光素子の点灯が順次移動され、乾燥コースを選択設定することができる。
【００４５】
なお、乾燥コース選択スイッチ３０ｄによる乾燥コースの選択設定が、洗浄コース選択スイッチ３０ｃにより洗浄コースが選択設定されているときに行なわれたときには、その選択設定された乾燥コースは、洗浄コース終了後に行われ、洗浄コース選択スイッチ３０ｃにより洗浄コースが選択設定されていないときに行なわれたときには、乾燥コース選択スイッチ３０ｄにより乾燥コースの選択設定がなされた後、運転開始停止スイッチ３０ｂが押圧操作されることにより、選択設定された乾燥コースが実行されるようになっている。
【００４６】
予約時間選択スイッチ３０ｅは、予約時間を選択設定するためのスイッチである。予約時間として、「２時間後」の予約（以下、「２時間後予約」という）、「４時間後」の予約（以下、「４時間後予約」という）が準備されている。２時間後予約は、２時間後に食器洗浄機１の運転を開始させることをあらかじめ予約するものであり、４時間後予約は、４時間後に食器洗浄機１の運転を開始させることをあらかじめ予約するものである。そして、予約時間選択スイッチ３０ｅにより、２時間後予約、４時間後予約のいずれの予約も選択設定することができる
【００４７】
予約時間表示部３０ｉは、現在選択設定されている予約時間を表示（点灯）するものである。具体的には、「２時間後」、「４時間後」の左側に発光素子が配設され、この発光素子が点灯または点滅されることにより、使用者は、現在どの予約時間が選択設定されているかを知ることができる。なお、予約時間のデフォルト（初期値）は、「予約時間なし」に設定されているので、電源スイッチ３０ａが押圧されて、電源がオンになった状態では、図２に示すいずれの発光素子も点灯または点滅されない。
【００４８】
そして、使用者が、たとえば、４時間後予約を選択設定したい場合には、使用者により予約時間選択スイッチ３０ｅが２回押圧されることにより、４時間後予約を選択設定することができる。つまり、予約時間選択スイッチ３０ｅが押圧されるごとに、「予約なし」→「２時間後」→「４時間後」→「予約なし」の順に発光素子の点灯が順次移動され、予約時間を選択設定することができる。
【００４９】
洗浄槽掃除スイッチ３０ｆは、洗浄槽２の掃除を設定（洗浄槽掃除モードを選択）するためのスイッチである。そして、使用者により、この洗浄槽掃除スイッチ３０ｆが押圧（洗浄槽掃除スイッチ「ＯＮ」）されることにより、洗浄槽掃除モードとなり、後述するように洗浄槽２内に洗浄水が給水される。
【００５０】
洗浄槽掃除表示部３０ｉは、現在洗浄槽掃除モードであるかなどを表示（報知）するものである。具体的には、「洗浄槽掃除」の左側に発光素子が配設され、この発光素子が点灯または点滅されることにより、使用者は、現在洗浄槽掃除モードであるかなどを知ることができる。なお、この洗浄槽掃除表示部３０ｉは、電源スイッチ３０ａが押圧されて、電源がオンになった状態では、図２に示す発光素子は点灯も点滅されていない。
【００５１】
そして、後述するように、使用者により洗浄槽掃除スイッチ３０ｆが押圧されると、洗浄槽表示部３０ｉが点滅され、また、使用者により洗浄槽掃除スイッチ３０ｆが押圧されたときに、洗浄槽２の蓋３が開放されていれば、洗浄槽２の蓋３が開放されていることを知らせる（報知する）ために、洗浄槽掃除表示部３０ｉが点灯する。また、洗浄槽掃除スイッチ３０ｆが押圧された後、洗浄槽２内に洗浄水が給水され、その給水が完了したときには、その給水の完了を知らせる（報知する）ために、この洗浄槽掃除表示部３０ｉが点灯される。詳細は後述する。
【００５２】
次に、本発明の食器洗浄機の電気的構成について図３を参照にしながら説明する。図３は、本発明の一実施形態における食器洗浄機の電気的構成を示すブロック図である。
【００５３】
図３に示すように、食器洗浄機１は、制御装置２８を備えている。制御装置２８は、ＣＰＵ（Central Processing Unit；中央演算処理部）、ＲＯＭ（Read
Only Memory）、ＲＡＭ（Random Access Memory）、インタフェース等（何れも図示略）を含むマイクロコンピュータを有している。ＲＡＭ（図示略）、ＲＯＭ（図示略）などの記憶手段には、マイクロコンピュータを制御するためのプログラムが記憶されている。
【００５４】
制御装置２８には、上述した水量検出センサ１０、温風温度センサ２９、温水温度センサ８、蓋開閉検出センサ３３、操作パネル３０のそれぞれの機器からの出力信号が与えられるようになっている。そして、これらの出力信号に基づいて、制御装置２８は、送風ファン２５、洗浄ポンプ６ａ、排水ポンプ６ｂ、温風ヒータ２６、温水ヒータ７、ブザー３２、給水弁９、および排水弁３１を制御するようになっている。
【００５５】
ブザー３２は、たとえば、上述した洗浄槽掃除スイッチ３０ｆが押圧されたときに、洗浄槽掃除モードが開始されることを使用者に知らせ（報知）、また、洗浄槽掃除スイッチ３０ｆが押圧された後、洗浄槽２内に洗浄水が給水され、その給水が完了したときに、その給水が完了したことを使用者に知らせ（報知）、さらに、給水が完了して後、所定の時間、洗浄槽２の蓋３が開放されない場合には、再度給水が完了したことを使用者に知らせるものである（報知）。詳細は後述する。
【００５６】
次に、本発明の食器洗浄機の洗浄槽のお掃除洗浄について図４〜図６を参照にしながら説明する。図４は、本発明の一実施形態における食器洗浄機の掃除洗浄工程を示すフローチャートであり、図５は、図４の手洗い洗浄準備工程を示すフローチャートであり、図６は、図４の自動すすぎ洗浄工程を示すフローチャートである。
【００５７】
この掃除洗浄工程は、洗浄槽２内をお掃除洗浄するための処理工程である。まず、Ｓ０１において、洗浄槽掃除スイッチ３０ｆが「ＯＮ」になっているかが判断される。この洗浄槽掃除スイッチ３０ｆが「ＯＮ」になっているかは、洗浄槽掃除スイッチ３０ｆが「ＯＦＦ」になっている状態から、使用者により洗浄槽掃除スイッチ３０ｆが押圧されたかにより判断される。そして、Ｓ０１により、「ＹＥＳ」と判断された場合はＳ０２に進み、「ＮＯ」と判断された場合は、何もせず掃除洗浄工程がリターンされる。
【００５８】
Ｓ０２において、Ｆ（フラグ）が「１」であるかが判断される。このＦ（フラグ）は、掃除洗浄工程において、「手洗い洗浄準備工程」と「自動すすぎ洗浄工程」の順序を規定させるためのものである。すなわち、このＦ（フラグ）は、掃除洗浄工程において、まず「手洗い洗浄準備工程」を実行させ、その後に「自動すすぎ洗浄工程」を行わせるためのものである。そして、Ｓ０２により、「Ｆ＝１」でないと判断された場合（「ＮＯ」の場合）は、Ｓ０３で「Ｆ＝１」にされ、Ｓ０４により、後述する手洗い洗浄準備工程（図５参照）が行われる。これにより、使用者により洗浄槽２内が手洗い洗浄される準備が完了し、その後、使用者は洗浄槽２を手洗い洗浄することができる。なお、Ｓ０２により「ＹＥＳ」と判断された場合は、Ｓ０５に進む。
【００５９】
Ｓ０５において、洗浄槽２の蓋３が閉止されているかが判断される。この洗浄槽２の蓋３が閉止されているかは、蓋開閉検出センサ３３の検出信号により判断される。そして、Ｓ０５で、洗浄槽２の蓋３が閉止されていないと判断された場合（「ＮＯ」の場合）は、掃除洗浄工程が一時終了され、その後、蓋３が閉止されるまで、Ｓ０１→Ｓ０２→Ｓ０５の処理が繰り返される。また、Ｓ０５により、洗浄槽２の蓋３が閉止されていると判断された場合（「ＹＥＳ」の場合）には、Ｓ０６に進む。これにより、洗浄槽２の蓋３が閉止されていない状態で、後述する自動すすぎ洗浄工程が実行されないので、洗浄槽２内に給水された洗浄水が、その開放された蓋３から飛び散ることがない。
【００６０】
Ｓ０６において、運転開始停止スイッチスイッチ３０ｂが再押圧されたかが判断される。この運転開始停止スイッチ３０ｂが再押圧されたかは、洗浄槽掃除スイッチ３０ｆが「ＯＮ」の状態で、運転開始停止スイッチ３０ｂが押圧（再押圧）されたかにより判断される。このように、運転開始停止スイッチ３０ｂが押圧（再押圧）されれば、その使用者による押圧信号(操作信号)が制御装置２８に送信される。そして、Ｓ０６により、「ＹＥＳ」と判断された場合はＳ０７に進み、Ｓ０７により洗浄槽掃除表示部３０ｉが点灯から点滅に移行される。これにより、使用者は、これから後述する自動すすぎ洗浄工程が行われることを確認することができる。また、「ＮＯ」と判断された場合は掃除洗浄工程が一時終了され、その後、洗浄槽掃除スイッチ３０ｆが押圧（再押圧）されるまで、Ｓ０１→Ｓ０２→Ｓ０５→Ｓ０６の処理が繰り返される。これにより、使用者は、運転開始停止スイッチ３０ｂを押圧（再押圧）するまで、洗浄槽２内を十分満足いくまで手洗い洗浄することができる。
【００６１】
次に、Ｓ０８において、後述する自動すすぎ洗浄工程が行われる。この自動すすぎ洗浄工程では、手洗い洗浄準備工程が完了した後、使用者により手洗い洗浄された洗浄槽２内の洗剤および汚れなどがあらかじめ決められた工程に従い洗い落とされる。詳細は後述する。
【００６２】
次に、掃除洗浄工程の手洗い洗浄準備工程について説明する。図５は、図４の手洗い洗浄準備工程を示すフローチャートである。この手洗い洗浄準備工程は、使用者が洗浄槽２内を手洗い洗浄するための準備を行う処理工程である。
【００６３】
まず、Ｓ１１において、洗浄モード開始報知が行われる。具体的には、ブザー３２により１０秒間ブザー音が発せられ、使用者に洗浄槽掃除モードが開始されることが報知される。これにより、洗浄槽掃除スイッチ３０ｆを押圧した使用者は、洗浄槽掃除モードが開始されることを知ることができる。
【００６４】
次に、Ｓ１２において、洗浄槽２の蓋３が閉止されているかが判断される。この洗浄槽２の蓋３が閉止されているかは、蓋開閉検出センサ３３の検出信号により判断される。そして、Ｓ１２により、洗浄槽２の蓋３が閉止されていないと判断された場合（「ＮＯ」の場合）は、Ｓ１３により洗浄槽掃除表示部３０ｉが点灯され、使用者に洗浄槽２の蓋３が閉止されていないことが報知される。この洗浄槽掃除表示部３０ｉが点灯（報知）により、使用者は洗浄槽２の蓋３が閉止されていないことを知ることができる。そして、その後、蓋３が閉止されるまで、Ｓ１２→Ｓ１３の処理が繰り返される。また、Ｓ１２により、洗浄槽２の蓋３が閉止されていると判断された場合（「ＹＥＳ」の場合）には、Ｓ１４に進む。これにより、後述する給水が行われるときに、洗浄槽２内に給水された洗浄水が、その開放された蓋３から飛び散ることを防止することができる。
【００６５】
このように、洗浄槽掃除スイッチ３０ｆにより掃除モードが選択されたときに、蓋開閉検出センサ３３により洗浄槽２の蓋３が開放されていることが検出される（閉止されていないことが検出される）と、洗浄槽掃除表示部３０ｉが点灯されて、使用者に洗浄槽２の蓋３が閉止されていないことが報知され、その後、蓋開閉検出センサ３３により洗浄槽２の蓋３が開放されていることが検出されなくなる（閉止されていることが検出される）と、洗浄槽掃除表示部３０ｉの点灯による報知が終了され、洗浄槽２内に洗浄水が給水されるので、洗浄槽２内に洗浄水が給水されるときに、水が洗浄槽２外に飛び散ることなく給水することができる。また、蓋３が開放されていれば、使用者は、蓋３が開放されていることを洗浄槽掃除表示部３０ｉの点灯による報知により知ることができ、これにより、確実に蓋３が閉じられた状態で、洗浄槽２内に洗浄水を給水することができる。
【００６６】
Ｓ１４において、洗浄槽掃除表示部３０ｉが点滅する。これにより、使用者は、掃除モードにより運転が行われていることを確認することができる。
【００６７】
次に、Ｓ１５において、洗浄槽２内に洗浄水が給水され、そして、Ｓ１６により、洗浄水が低水位まで給水されたかが判断される。具体的には、Ｓ１５により給水弁９が開かれ、洗浄槽２内に洗浄水が供給され、Ｓ１６により水量検出センサ１０からの信号により低水位まで給水されたかが判断される。ここで、本実施形態における「低水位」の状態とは、残菜フィルター１８よりも上部の水位の状態であり、洗浄槽２内の洗浄水の水位がフロートケース２２内の下点水位になる状態をいう。そして、Ｓ１６により、洗浄水が低水位まで給水されていないと判断された場合（「ＮＯ」の場合）は、Ｓ１５により継続して洗浄槽２内に洗浄水が給水される。そして、その後、洗浄水の水位が低水位になるまで洗浄水が給水され、Ｓ１５→Ｓ１６の処理が繰り返される。また、Ｓ１６により、洗浄水が低水位まで給水されたと判断された場合（「ＹＥＳ」の場合）には、Ｓ１７に進み、Ｓ１７により洗浄水の給水が停止される。
【００６８】
次に、Ｓ１８により、洗浄槽２への洗浄水の給水が完了したことが報知される。具体的には、ブザー３２により１０秒間ブザー音が発せられ、使用者に洗浄水の給水が完了したことが報知される。また、給水完了報知とともに、洗浄槽掃除表示部３０ｉが点滅から点灯に移行され、使用者に洗浄水の給水が完了したことが知らされる。これにより、使用者は洗浄水が低水位まで給水されたことを知ることができ、その後、使用者は洗浄槽２内を手洗い洗浄することができる。
【００６９】
次に、Ｓ１９において、タイマー（Ｔ）に「０」（Ｔ＝０）が設定される。そして、Ｓ２０により、タイマー（Ｔ）に「０」が設定されてから所定の時間が経過したかが判断され、Ｓ２０により「ＮＯ」と判断された場合に、Ｓ２１により洗浄槽２の蓋３が開放されたかが判断され、Ｓ２１により「ＮＯ」と判断されたときに、Ｓ２０により再びタイマー（Ｔ）に「０」（Ｔ＝０）が設定されてから所定の時間が経過したかが判断される。そして、Ｓ２０により「ＹＥＳ」と判断された場合、すなわち、タイマー（Ｔ）に「０」が設定されてから所定の時間が経過したと判断された場合には、Ｓ２２により、Ｓ１８で行われた給水完了報知、すなわち、ブザー３２により１０秒間ブザー音が発せられる。このように、洗浄水の給水が完了した後、タイマー（Ｔ）が設定されてから所定の時間が経過することにより、給水完了報知、すなわち、ブザー３２により１０秒間ブザー音が発せられる。そして、Ｓ２３により、タイマー（Ｔ）に「０」（Ｔ＝０）が再設定され、再び所定の時間が経過したときに、給水完了報知、すなわち、ブザー３２により１０秒間ブザー音が発せられる。以上のように、洗浄槽２の蓋３が開放されない限り、所定の時間間隔で、給水完了報知、すなわち、ブザー３２により１０秒間ブザー音が発せられる。そして、蓋が開放されれば、Ｓ２１により「ＹＥＳ」と判断され、手洗い洗浄準備工程が終了する。
【００７０】
このように、水量検出センサ１０により洗浄水が低水位まで給水されたと検出されると、ブザー３２のブザー音による報知および洗浄槽掃除表示部３０ｉの点灯による報知がなされ、その後、蓋開閉検出センサ３３により洗浄槽２の蓋３が開放されていることが検出されると、ブザー３２のブザー音による報知および洗浄槽掃除表示部３０ｉの点灯による報知が終了するので、使用者は、洗浄槽２への洗浄水の給水が完了されたことを知ることができ、その後の使用者による洗浄槽２の手洗い洗浄をスムーズに行うことができる。
【００７１】
次に、掃除洗浄工程の自動すすぎ洗浄工程について説明する。図６は、図４の自動すすぎ洗浄工程を示すフローチャートである。
【００７２】
この自動すすぎ洗浄工程は、使用者が洗浄槽２内を手洗い洗浄した後の洗剤や汚れを洗い落とすための処理工程である。この自動すすぎ工程は手洗い洗浄準備工程が終了したのちに実行される。
【００７３】
まず、Ｓ３１において、洗浄槽２内の洗浄水が排水され、Ｓ３２により排水が完了したかが判断される。具体的には、Ｓ３１により排水弁３１が開放され、排水ポンプ６ｂが駆動され、洗浄水が排水ポンプ６ｂの駆動力により食器洗浄機１の外部に排水される。そして、Ｓ３２により洗浄槽２内の洗浄水がすべて食器洗浄機１外に排水され、排水弁３１が閉止され、排水ポンプ６ｂの運転も停止されたが判断される。そして、Ｓ３２により、まだ排水が完了していないと判断された場合（「ＮＯ」の場合）には、洗浄槽２内の洗浄水の排水が継続して行われ、排水が完了するまで、Ｓ３１→Ｓ３２の処理が繰り返される。そして、Ｓ３２により、洗浄水の排水が完了したと判断された場合（「ＹＥＳ」の場合）には、Ｓ３３に進む。
【００７４】
次に、Ｓ３３において、洗浄槽２内に洗浄水が給水され、そして、Ｓ３４により、洗浄水が低水位まで給水されたかが判断される。具体的には、Ｓ３３により給水弁９が開かれ、洗浄槽２内に洗浄水が供給され、Ｓ３４により水量検出センサ１０からの信号により低水位まで給水されたかが判断される。そして、洗浄水が低水位まで給水されていないと判断された場合（「ＮＯ」の場合）は、Ｓ３４により継続して洗浄槽２内に洗浄水が給水される。そして、その後、洗浄水の水位が低水位になるまで洗浄水が給水され、Ｓ３３→Ｓ３４の処理が繰り返される。また、Ｓ３４により、洗浄水が低水位まで給水されたと判断された場合（「ＹＥＳ」の場合）には、Ｓ３５に進み、Ｓ３５により洗浄水の給水が停止される。
【００７５】
Ｓ３６において、タイマー（Ｔ）に「０」（Ｔ＝０）が設定され、Ｓ３７により、洗浄ポンプ６ａが間欠的に運転され、噴射ノズル５から洗浄水を間欠的に噴射させる（間欠噴射）。具体的には、Ｓ３７により、洗浄ポンプ６ａが停止した状態から、０．８秒動作→１．０秒休止→０．８秒動作のように、休止（０．８秒）と動作（１．０秒）が繰り返されて、洗浄ポンプ６ａが間欠的に運転され、噴射ノズル５から間欠的に洗浄水が噴射される。そして、Ｓ３８により、タイマー（Ｔ）に「０」が設定されてから３０秒経過したかが判断され、Ｓ３８により、タイマー（Ｔ）に「０」が設定されてから３０秒経過したかと判断された場合には、Ｓ３９により間欠噴射が完了され、Ｓ４０に進む。
【００７６】
Ｓ４０において、洗浄槽２内の洗浄水が排水され、Ｓ４１により排水が完了したかが判断される。具体的には、Ｓ４０により排水弁３１が開放され、排水ポンプ６ｂが駆動され、洗浄水が排水ポンプ６ｂの駆動力により食器洗浄機１の外部に排水される。そして、Ｓ４１により洗浄槽２内の洗浄水がすべて食器洗浄機１外に排水され、排水弁３１が閉止され、排水ポンプ６ｂの運転も停止されたが判断される。そして、Ｓ４１により、まだ排水が完了していないと判断された場合（「ＮＯ」の場合）には、洗浄槽２内の洗浄水の排水が継続して行われ、排水が完了するまで、Ｓ４０→Ｓ４１の処理が繰り返される。そして、Ｓ４１により、洗浄水の排水が完了したと判断された場合（「ＹＥＳ」の場合）には、Ｓ４２に進む。
【００７７】
このように、洗浄ポンプ６ａが間欠的に運転するように制御され、噴射ノズル５から洗浄水が間欠的に噴射されるので、噴射ノズル５から断続的に噴射された洗浄水が波状になり、その波状になった洗浄水により手洗い洗浄された後の洗浄槽２内の洗剤や汚れなどを確実に洗い落とすことができる。
【００７８】
Ｓ４２において、洗浄水の排水が完了したことが報知される。具体的には、ブザー３２により１０秒間ブザー音が発せられ、使用者に洗浄水の排水が完了したことが報知される。また、給水完了報知とともに、洗浄槽掃除表示部３０ｉの点滅が消灯され、使用者に洗浄水の排水が完了したことが知らされる。これにより、洗浄水が排水されたことを使用者が知ることができる。そして、Ｓ４３によりフラグ（Ｆ）が０（Ｆ＝０）にされ、自動すすぎ洗浄工程が終了する。
【００７９】
このように、使用者による手洗い洗浄が完了し、使用者による操作信号を受けて洗浄水が排水された後（Ｓ０６で「ＹＥＳ」）は、再び洗浄水が低水位まで給水され、そして、洗浄ポンプ６ａが運転されて、噴射ノズル５から該給水された洗浄水が噴射され、その後に該洗浄水が排水されるので、使用者による洗浄槽２内の手洗い洗浄が終了した後は、自動的にその後の洗浄槽２内のすすぎ洗浄を行うことができる。これにより、迅速かつスムーズに洗浄槽２内をお掃除洗浄することができる。
【００８０】
以上説明したように、洗浄槽掃除スイッチ３０ｆにより掃除モードが選択された場合には、洗浄水が低水位まで給水されるので、使用者がバケツに入った水道水を洗浄槽２内に入れる作業を行わずにすみ、バケツから水が漏れたり、洗浄槽２外に水が溢れたり、また、水が送風通路を介して温風ヒータ２６や送風ファン２５のところまで入り込み、漏電する危険性もなくなる。そして、その給水された洗浄水は使用者による操作信号を受けて排水されるので、使用者はそれまで十分洗浄槽２内を掃除することができる。これにより、たとえば、洗浄槽２内にミネラル分やカルシウムなどの汚れが付着した場合でも、使用者は洗浄槽２内を満足がいくまで手洗い洗浄することができる。
【００８１】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００８２】
【図１】本発明の一実施形態における食器洗浄機の内部構造を示す図である。
【図２】本発明の一実施形態のおける食器洗浄機の操作パネルを示す図である。
【図３】本発明の一実施形態における食器洗浄機の電気的構成を示すブロック図である。
【図４】本発明の一実施形態における食器洗浄機の掃除洗浄工程を示すフローチャートである。
【図５】図４の手洗い洗浄準備工程を示すフローチャートである。
【図６】図４の自動すすぎ洗浄工程を示すフローチャートである。
【符号の説明】
【００８３】
１  食器洗浄機
２  洗浄槽
３  蓋
５  噴射ノズル
６  ポンプ
６ａ  洗浄ポンプ
６ｂ  排水ポンプ
７  温水ヒータ
９  給水弁
１０  水量検出センサ  
１２  洗浄水貯水部  
１３  導水口
２３  フロート
２５  送風ファン
２６  温風ヒータ
２８  制御装置
３０  操作パネル
３０ｆ  洗浄槽掃除スイッチ
３０ｉ  洗浄槽掃除表示部  
３１  排水弁
３２  ブザー
３３  蓋開閉検出センサ    
【図１】
2008036130.tif 000003
【図２】
2008036130.tif 000004
【図３】
2008036130.tif 000005
【図４】
2008036130.tif 000006
【図５】
2008036130.tif 000007
【図６】
2008036130.tif 000008